(57)【要約】【課題】膨らみを回避しながら厚さを減らした書類ケースを提供することにある。【解決手段】本発明は、互いに関節連結された少なくとも２つの第一フラップを有する、多数の標準フォーマット書類（８）を受入れる書類ケースに関する。書類（８）は、オフセットしてオーバーラップしているポケット内に別々に挿入される。ポケットの開口はフラップの関節連結軸線に平行であり、このため、書類はその覆われない可視縁部を露出させるべく、段状（１１、１２）に配置される。２つの隣接フラップを備えた書類ケースの場合には、段（１１、１２）は同じ挿入方向に配置され、両フラップを折畳んだときに、フラップの最も高い書類は、他のフラップの最も低い書類に隣接する。【選択図】図２
2010506761.tif 000002
【特許請求の範囲】
【請求項１】
クレジットカードまたは名刺のサイズの書類を受入れることを意図した書類入れまたはＡ４サイズまたは他のサイズの多数の書類を受入れることを意図した肩かばん等の複数の標準サイズの書類（８；６２、６３）を受入れることを意図した書類ケースであって、互いに関節連結された少なくとも２つの第一フラップを有し、書類は、オフセットしてオーバーラップしているポーチ（４；４′）内に別々に挿入され、ポーチの開口（７）はフラップ（１、２；６４；８１−８４）の関節連結軸線（３；３８、３９、４１；９３）に平行であり、書類は、覆われない可視縁部を表示する段状列（１１、１２）内に配置される構成の書類ケースにおいて、２つの隣接フラップの場合には、段状列（１１、１２）は同じ挿入方向に配置され、一方のフラップの最も高い書類は他方のフラップの最も低い書類に隣接し、両フラップが互いに折畳まれたときに書類入れまたは書類ケースの厚さが小さくなるように、２連の段状列（１１、１２）が互いに嵌合されることを特徴とする書類ケース。
【請求項２】
一方のフラップの連続ポーチは、ジグザグ形態に折重ねられたシートー（２１）からなり、２つの折曲げ線（２２−２５）間の距離は交互に２つの異なる値を有し、１つの値は、挿入すべき書類の、ポーチの開口に垂直な辺に等しく、１つの値は書類を取出すことができるように僅かに小さい値であり、シート（２１）のジグザグ形態の側縁部は互いに固定され、全てのフラップのポーチの組がシート（２１）に形成され、連続する段状列（１１、１２；３１−３４）は折畳まれないセクションにより分離されて、逆プリーツ（３５−３７；８６、８７）を形成し、逆プリーツの幅は、挿入される書類の厚さのｎ倍に実質的に等しい（ここで、ｎはフラップ内に挿入できる書類の数）ことを特徴とする請求項１記載の書類ケース。
【請求項３】
シート（２１）のジグザグ形態の側縁部は、ローリングポイントをもつステッチにより互いに固定されることを特徴とする請求項２記載の書類ケース。
【請求項４】
シート（２１）を折畳む前に、フレキシブル材料で作られたコード（２０）が、シートの固定線の領域内でシートのジグザグ形態をなす側縁部上に配置されることを特徴とする請求項２記載の書類ケース。
【請求項５】
段状列の畝を形成する折曲げ線（２２、２４）の領域内で折曲げられたシート（２１）の部分的カットアウト（２６）、実質的に楕円形の凹部２６が設けられていることを特徴とする請求項２記載の書類ケース。
【請求項６】
シートは仕上げカバーを有し、該仕上げカバーは、少なくとも１つのポーチまたはポケットの領域内に窓（２８）を形成するカットアウトを有することを特徴とする請求項２記載の書類ケース。
【請求項７】
少なくとも１つの第三デバイダフラップ（３８）を有し、該第三デバイダフラップ（３８）は他方のフラップ（３９、４１）の１つに関節連結され、閉位置において他の２つのフラップの一方の上に折重ねられ、かつその２つの面上にポーチを有し、その２つの面の連続ポーチは非対称的な態様で、閉位置においては第三デバイダフラップ（３８）の各面の連続段状列が、２つの第一フラップの一方の内側面の連続段状列内に嵌合され、２つの第一フラップ（３９、４１）を分離する逆プリーツ（３５）の幅は、挿入される書類の厚さのｎ倍に実質的に等しい（ここで、ｎはフラップ内に挿入できる書類の数）ことを特徴とする請求項１記載の書類ケース。
【請求項８】
２つの第一フラップの全長に亘って延びている外側横ポケットを有し、該外側横ポケットの開口は、関節連結軸線に垂直でありかつ２つの区画室（１４、１５；５１、５２）を有し、一方の区画室（１４）は、フラップの幅より小さい幅（１６）をもつポーチからなることを特徴とする請求項１から７のいずれか１項記載の書類ケース。
【請求項９】
関節連結軸線に平行なフラップの辺は書類の幅の２倍より実質的に大きく、少なくとも１つのフラップには、２連の隣接垂直段状列を形成する最大数の対をなす隣接ポーチ（６２、６３）が設けられ、フラップの残りの自由スペース内には、垂直に配置されたポーチが付加されており、これにより一連の水平段状列（６６）が形成され、全てのポーチの開口が関節連結軸線（６４）の方向を向いていることを特徴とする請求項１記載の書類ケース。
【請求項１０】
別々に使用できるインサートを有し、該インサートは単一フラップ（７１）を有し、該フラップはその少なくとも一方の面にポーチを備え、該ポーチは舌（７２）に関節連結され、該舌は、関節連結軸線（７３）に平行な辺上でインサートに固定され、インサートが単独で使用されるとき、舌（７２）は、衣服のポケット内に貯蔵される位置で、ポーチ内に挿入された書類を覆うようにポーチ上に折畳まれ、インサートは、舌をフラップに形成されたポケット（８９）内に導入することにより書類入れに固定され、インサートの開口はフラップの関節連結軸線に平行であり、インサートは書類入れの２つのフラップの間に配置され、関節連結されていることを特徴とする請求項１から９のいずれか１項記載の書類ケース。
【請求項１１】
少なくとも1つの第一フラップ（１０１）は、少なくとも２つの重畳ポケット（１０２、１０３）を更に有し、該ポケットの開口は関節連結軸線（１０４、１０５）から離れておりかつ該関節連結軸線に平行であり、インサートの舌（７２）または大きい書類を受入れるべく、ジグザグ形態に折曲げられたシートにより２つのポケット（１０２、１０３）が形成されていることを特徴とする請求項１０記載の書類ケース。
【請求項１２】
２つの第一フラップ（９２）の各々がタブ（９１）を有し、該タブ（９１）は段状列の畝の領域内で関節連結軸線（９３）に垂直な辺でフラップ（９２）に関節連結され、タブはその少なくとも一方の面上にポーチを有し、タブの幅は、タブが閉位置にあるときにフラップの長さより僅かに小さく、書類入れが折畳まれたとき、２つのタブは、オーバーラップすることなく横に隣接して配置されることを特徴とする請求項２記載の書類ケース。
【請求項１３】
２つの逆プリーツ（２２２、２２３）により連結された少なくとも３つのフラップを有し、各フラップは同じ側から開口している一連のポーチを備え、書類入れは、中央フラップの前記側（２２０）に対応する、開いた書類入れの端部に位置するフラップを折重ね、次に、反対側（２２１）に対応する、開いた書類入れの端部に位置するフラップを連続的に折重ねることにより折畳まれることを特徴とする請求項１記載の書類ケース。
【請求項１４】
少なくとも２つのフラップを有し、各フラップは、該フラップの幅より実質的に小さい幅をもつ段状列内に一連のポーチを有し、段状列の下で、関節連結軸線に平行に位置する横ポケット（２３１）を有し、該横ポケットの開口は、前記軸線に対して垂直に、フラップの全長に亘って延びていることを特徴とする請求項１記載の書類ケース。
【請求項１５】
逆プリーツを介して互いに連結された２つのフラップを有し、各フラップは同じ側から開口した一連のポーチを有し、各フラップは、ポーチの下にポケット（２３２）を更に有し、ポケットの開口は、逆プリーツから離れたフラップの縁部に沿って逆プリーツに平行に延びており、ポケットの開口は舌インサートと係合し、舌インサートはその一方の面に段状列をなして配置された一連のポーチを備え、該ポーチは、これが関連する書類入れのフラップのポーチと同じ側から開口しており、ポーチの段状列を支持する面から離れて位置するインサートの面には透明な窓ポケット（２４８、２４９）およびこれらの透明ポケットの開口に垂直なガセット（２３３）が設けられ、２つのフラップの透明ポケットの前記開口は、逆プリーツに平行な同じ側から延びておりかつジップファスナ（２４６、２４７）により閉じられることを特徴とする請求項１記載の書類ケース。
【請求項１６】
インサートの両面上で交互に開口しかつ書類ケースのポーチ内に導入されることを意図した矩形舌（２１０）に関節連結される、段状列に配置される連続ポーチ（２１１、２１２）を得るため、ストリップ（２１３）をジグザグ形態に折曲げることにより作られる舌インサート（２１０）を有することを特徴とする請求項１記載の書類ケース。
【請求項１７】
関節連結軸線に平行なフラップの辺は、書類の幅の２倍より実質的に大きくかつ書類の長さの４／３より実質的に大きく、少なくとも１つのフラップには、一連の隣接する垂直段状列を形成する最大数の対をなす隣接ポーチ（２５６、２５７）が設けられ、フラップの残りの自由スペースには、水平にかつ隣接して配置された更に２つのポーチ段状列が設けられ、ポーチの開口は垂直段状列の開口と同方向に配向され、ポーチの開口の幅は、一方では書類（２５３）の長さより実質的に大きくかつ他方では書類（２５１）の長さの４／３より実質的に大きいことを特徴とする請求項１記載の書類ケース。
【請求項１８】
２つの逆プリーツ（２５２）により連結された３つのフラップを有し、端フラップの１つは１組の重畳ポーチ（２６３）を備え、上ポーチの寸法は下に位置するポーチの寸法より実質的に小さく、各ポーチは、２つの辺すなわち一方では逆プリーツ（２５２）に平行な辺、他方では前記プリーツに垂直な１つの辺で開口しており、これと同じ辺には矩形タブ（２６１）が固定され、矩形タブの寸法は、逆プリーツ（２６０）により前記フラップに連結されたフラップの寸法に実質的に等しく、矩形タブは、閉位置ではポーチの組上に折重ねられ、かつ各面上には窓ポーチ（２６２）が設けられ、窓ポーチ（２６２）の開口は逆プリーツ（２５２）の方向に配向されていることを特徴とする請求項１記載の書類ケース。
【発明の詳細な説明】
【技術分野】
【０００１】
本発明は、クレジットカードまたは名刺のサイズの書類を受入れることを意図した書類入れ（wallet）、または標準化された任意のサイズのファイルまたはページを受入れることを意図した肩かばん（satchel）等の、複数の標準化されたサイズの書類を受入れるための書類ケースに関する。
【背景技術】
【０００２】
健康保険証、ショップロイヤルティカード、定期乗車券およびスポーツライセンスカード等の多数の書類の場合、クレジットカードのサイズが採用されている。人々は、すぐに、書類入れ内に挿入すべき多数のカードを溜めてしまう。
【０００３】
互いに関節連結された少なくとも２つのフラップを備えた書類入れがしばしば使用されており、カードは、オフセットしてオーバーラップしたポーチ（小袋）内に別々に挿入される。ポーチの開口はフラップの関節連結軸線に対して平行または垂直であり、このため、カードは、露出縁部が見えるように段状列（tiers）として配置される。したがって、カードは、その可視縁部により識別でき、カードを使用すべくそのポーチから容易に取出すことができる。
【０００４】
カードは、一種の段（step）を形成すべくオーバーラップされ、このため、最大数のカードが互いに配置される箇所の厚さが大きくなってしまう。各フラップは、実質的に三角形のプロファイルを有している。ポーチは、２つのフラップの関節連結軸線に対して対称的に配置されており、書類入れが閉じられたときに、フラップの２つの最も厚い部分が互いに対面し、過度に大きい厚さが形成される。これにより、閉じた位置でフラップの一方の側面に膨らみが生じ、かつ前記過度の厚さ部分がズボンの後ポケットまたはシャツのポケットのような厚さが小さいポケット内に置かれることを妨げる。
【０００５】
同様に、例えば代理人の顧客のファイルのような多数のファイルを持ち歩かなくてはならない人々は、彼らのファイルを、２つのフラップを備えた肩かばん内に段状列をなして別々に収容でき、これにより、ファイルを識別して迅速に取出すことができることを望んでおり、この場合には、肩かばんの体積を制限することも望まれている。
【発明の概要】
【発明が解決しようとする課題】
【０００６】
本発明のベースとなっている問題は、上記膨らみを回避しながら厚さを減らした上記形式の書類ケースを提供することにある。
本発明の他の目的は、この形式の書類ケースの製造コストを低減させることにある。
本発明の更に別の目的は、複数のサイズ（Ａ４その他のサイズ）の多数の書類を受入れることができる書類ケースを提供することにある。
【課題を解決するための手段】
【０００７】
上記目的のため、本発明は、２つの隣接フラップについて、ポーチが同じ挿入方向に配置され、両フラップを互いに折畳んだときに、一方のフラップの最も高い書類が他方のフラップの最も低い書類に隣接し、２連の段状列が互いに嵌合するため、書類入れまたは書類ケースの厚さを減らすることができる。
このようにして、書類ケースの膨らみが低減され、書類ケースが閉じられたときに、両フラップの最も厚いセクションが互いに離れて位置する。かくして、最小の厚さで最大数の書類を収容できる、２つのフラップを備えた書類入れを作ることができる。
【０００８】
本発明の他の特徴によれば、１つのフラップの連続する段状列がジグザグ形態に折重ねられたシートからなり、２つの折曲げ線間の距離は交互に２つの異なる値を有し、１つの値は、ポーチの開口に垂直な、挿入すべき書類の辺に等しく、他の１つの値はこれより僅かに小さくて、書類を掴むことができるようになっている。シートのジグザグ形態の側縁部は互いに固定され、全てのフラップのポーチの組は同じシート内に形成されている。
これにより、書類ケースの製造が簡単化され、したがってその製造コストも低減される。
有利なことは、シートのジグザグ形態の側縁部がステッチにより互いに固定されることである。側部でのポーチのピンチングが得られ、書類がポーチから落下することが防止される。
【０００９】
本発明の他の特徴によれば、書類ケースは第三デバイダフラップを有し、該第三デバイダフラップは他の１つのフラップに関節連結され、閉位置においては、他の２つのフラップのうちの１つのフラップの上に折重ねられる。第三デバイダフラップは、その２つの面上にポーチを備え、２つの面の連続ポーチは非対称的に配置され、閉位置においては、第三デバイダフラップの各面の連続段状列が、２つの第一フラップのうちの一方の内側面の連続段状列内に嵌合される。２つの第一フラップを分離している逆プリーツ（inverted pleat）の幅は、実質的に、挿入される書類の厚さの２倍に等しい。ここで、ｎは、フラップ内に挿入できる書類の数である。
【００１０】
本発明の更に別の特徴によれば、２つの隣接フラップの組が外側横ポケットを有し、該横ポケットは、関節連結軸線の全長に亘って延びておりかつその開口は関節連結軸線に対して垂直である。
この横ポケットは、例えば銀行券（bank note）および身分証明書（identity papers）等の非常に長い書類を受入れることができる。
【００１１】
本発明の更に別の特徴によれば、関節連結軸線に平行なフラップの辺は、クレジットカードカードの幅の２倍より実質的に長く、各フラップは、両フラップの関節連結軸線に平行に配置されたクレジットカードサイズの書類を受入れることを意図した連続する３つのポーチを有し、この場合、クレジットカードサイズの書類を受入れることを意図した２連の２つの隣接ポーチは、両フラップの関節連結軸線に対して横方向に配置される。
これにより、２つのフラップを有しかつ１４枚のクレジットカードサイズの書類を収容する小型の書類入れを作ることができる。
【００１２】
有利なことは、少なくとも１つのフラップが更に、大きい書類を入れることを意図した少なくとも１つの幅広ポーチを有することである。
これにより、クレジットカードより大きい例えば身分証明書、運転免許証、新しい欧州車両登録証等の公文書を収容することが可能になる。
有利なことは、外側横ポケットが内側分離手段を有することである。これにより、名刺のように異なるサイズを有する書類を収容することができる。
【００１３】
本発明の更に別の特徴によれば、書類ケースは、単一フラップからなるインサートを有し、該インサートは、フラップの内側ポケット内に挿入できる舌に関節連結され、その１つの面上には一連の段状列を有し、インサートの開口は関節連結軸線に平行であり、舌は、衣服のポケット内で貯蔵される位置でポーチ上に折畳まれる。
かくして、着脱可能な書類ケースは、書類入れとは別々にまたは書類入れ内に挿入して使用できる。書類ケースが別個に使用されるとき、例えばシャツのポケットまたはスーツジャケットの外側ポケットに入れて使用されるときは、書類ケースに収容される書類は、クレジットカード、メモリカードまたは輸送書類等の電子要素または磁気要素を備えた書類にダメージを与える虞れがある静電気の発生から保護される。
本発明の他の特徴および長所は、添付図面を参照して非制限的態様で例示する以下の説明から明らかになるであろう。
【図面の簡単な説明】
【００１４】
【図１ａ】本発明を示す概略図である。
【図１ｂ】本発明を示す概略図である。
【図１ｃ】本発明を示す概略図である。
【図１ｄ】本発明を示す概略図である。
【図１ｅ】本発明を示す概略図である。
【図１ｆ】本発明を示す概略図である。
【図１ｇ】本発明を示す概略図である。
【図２】クレジットカードサイズの書類を受入れることを意図した２つのフラップを備えた書類入れを示す概略縦断面図である。
【図３】図２の書類入れを示す概略横断面図である。
【図４】ポーチの一実施形態を示す概略図である。
【図５】ポーチの一実施形態を示す概略図である。
【図６】ポーチの一実施形態を示す概略図である。
【図７】ステッチポイントを示す概略図である。
【図８】３つのフラップおよび４つのポーチの段状列を備えた書類入れの一実施形態を示す概略図である。
【図９】３つのフラップおよび４つのポーチの段状列を備えた書類入れの一実施形態を示す概略図である。
【図１０】３つのフラップおよび４つのポーチの段状列を備えた書類入れの一実施形態を示す概略図である。
【図１１】３つのフラップおよび４つのポーチの段状列を備えた書類入れの一実施形態を示す概略図である。
【図１２】少なくとも２つのフラップを備えた書類入れの外側横ポケットを示す概略横断面図である。
【図１３】１つのフラップに７枚のカードが入れられる小さい書類入れのフラップを示す正面図である。
【図１４】フラップの内側ポケット内に挿入できる舌を備えた単一フラップを有するカードケースを示す概略斜視図である。
【図１５】本発明による４つのフラップを備えた書類入れの一実施形態を示す図面である。
【図１６】本発明による４つのフラップを備えた書類入れの一実施形態を示す図面である。
【図１７】フラップに固定されたタブの一例示実施形態が開位置にあるところを示す図面である。
【図１８】２つのタブを備えた書類入れが閉位置にあるところを示す図面である。
【図１９】ダブルポケットを備えたフラップの２つの入口の１つが、単一フラップを備えたインサートの舌（図１４）を受入れているところを示す図面である。
【図２０】本発明による４つのフラップを備えた書類入れの一実施形態を示す図面である。
【００１５】
【図２１】１つの同じストップを用いてジグザグ形態に折畳むことにより、各面に１つの段状列を備えた舌インサート作る方法を示す横断面図である。
【図２２ａ】最適貯蔵安全性が得られる３つのフラップを備えた書類入れを折畳む段階の１つを示す図面である。
【図２２ｂ】最適貯蔵安全性が得られる３つのフラップを備えた書類入れを折畳む段階の１つを示す図面である。
【図２２ｃ】最適貯蔵安全性が得られる３つのフラップを備えた書類入れを折畳む段階の１つを示す図面である。
【図２２ｄ】最適貯蔵安全性が得られる３つのフラップを備えた書類入れを折畳む段階の１つを示す図面である。
【図２３】各フラップに、ポーチの段状列の下に配置されたポケットが設けられかつ関節連結の軸線に垂直な開口が段状列の書類より大きい書類の貯蔵を可能にする書類入れを示す概略図である。
【図２４ａ】２つのフラップおよび２つのインサートを備えた書類入れを折畳む段階を示す図面であり、各フラップおよびインサートは書類入れの端部に配置され、カードを安全に貯蔵でき、書類入れの容量を増大させ、各インサートの外側面には窓ポーチが設けられている。
【図２４ｂ】２つのフラップおよび２つのインサートを備えた書類入れを折畳む段階を示す図面であり、各フラップおよびインサートは書類入れの端部に配置され、カードを安全に貯蔵でき、書類入れの容量を増大させ、各インサートの外側面には窓ポーチが設けられている。
【図２４ｃ】形状が対をなすように折畳まれるように配置されたジップファスナが設けられた窓ポーチを示す図面である。
【図２４ｄ】形状が対をなすように折畳まれるように配置されたジップファスナが設けられた窓ポーチを示す図面である。
【図２５】各フラップが１０枚までのカードを収容できる３つのフラップを備えた小さい書類入れを示す図面である。
【図２５ａ】３つのフラップを備えた書類入れを示す図面であり、右側から最も遠い端フラップには異なるサイズの書類を受入れる非常に小さい１組の重畳ポーチが設けられ、窓タブは図２５ｃに示す閉位置に前記ポーチ上で折畳まれている。
【図２５ｂ】３つのフラップを備えた書類入れを示す図面であり、右側から最も遠い端フラップには異なるサイズの書類を受入れる非常に小さい１組の重畳ポーチが設けられ、窓タブは図２５ｃに示す閉位置に前記ポーチ上で折畳まれている。
【図２５ｃ】ポーチ上で閉位置に折畳まれた窓タブを示す図面である。
【発明を実施するための形態】
【００１６】
図１ａ−図１ｇは、本発明の原理を示す図面である。図１ａは、関節連結軸線３の回りでピボットする２つのフラップ１、２を備えた既知の形式のカードホルダを示すものである。各フラップ１、２はポーチ４を有し、これらのポーチ４はクレジットカードサイズの書類を受入れることを意図しており、互いにオフセットしている。ポーチ４の開口７は関節連結軸線３の方向を向いており、フラップ１，２の一連の段状列が関節連結軸線３に対して対称的に配置されている。図１ｂの場合には、ポーチ４′は関節連結軸線３′に対して垂直である。ポーチ４または４′の深さ５はカードの幅６より小さいので、カードの縁部は、連続する２つの開口７を分離しているスペース内で見ることができる。閉位置（図１ｅ）では、２つのフラップが互いに折畳まれ、両フラップのポーチが接触した状態になる。
【００１７】
１つのフラップには５つのポーチ４があり、図１ｃに概略的に示すように、ポーチ４内に収容されたカード８は互いに上下にオーバーラップすることが理解されよう。図１ａの例では、関節連結軸線３から離れたポーチ内に挿入された第一カードの可視端部は、以下の４枚のカードにオーバーラップしている。これにより、折畳み（図１ｄおよび図１ｄ′）の後に、図１ｄ（または図１ｂの場合は図１ｄ′）に示すような膨らみを形成する三角形として概略的に示した段状列プロファイルが形成される。２連の段状列が、図１ａまたは図１ｂに示す既知のカードホルダにおいて対称的に配置されている場合には、図１ｅに示す閉位置では、過大な厚さの２つの三角形が互いに重なって配置される。このため、非常に厚いカードホルダとなってしまい、１対のズボンの後ポケット、シャツのポケットまたはスーツのジャケットの外側ポケット等の薄い衣服ポケットに入れることは困難である。
【００１８】
本発明によれば、２つの隣接フラップの場合、ポーチは同じ挿入方向に配置され、一方のフラップの最も高い書類は、他方のフラップの最も低い書類に隣接して配置される。このため、両フラップが互いに重ね合わされるときに、２連の段状列が互いに嵌り合い、書類入れまたは書類ケースの厚さを小さくできる。これは図１ｆに概略的に示されている。図１ｇに示す閉位置では、２つのフラップの三角形が互いに対向し、カードホルダの全厚が大幅に低減されるように、過大な厚さが補償される。
【００１９】
図２および図３は、外側横ポケットを備えた本発明による２つのフラップを有する書類入れの概略縦断面図および横断面図である。理解されようが、２連の段状列１１，１２は共通の内側面１３を有している。この共通内側面１３の外側面には外側横ポケットが形成されている。外側横ポケットは、銀行券および身分証明書等の大きな書類を受入れることを意図した２つの区画室１４、１５を有している。内側区画室１４には短いポーチ１６が設けられており、該ポーチ１６は、例えば名刺を受入れるためのフラップの幅より小さい幅を有している。
【００２０】
図３は、小さいポケット１６の領域の横断面図であり、ポケット１６がシート１７をジグザグ形態に３回折畳むことにより形成されることを示している。
【００２１】
図４−図６には、段状列をなすポーチの一実施形態が示されている。図４には、織布からなるライニングのようなフレキシブルでしなやかな材料で作られたシート２１が示されており、該シート２１には横方向折曲げ線２２ｋ２５が形成されている。２本の隣接折曲げ線間の距離は、交互に、２つの異なる値を有している。１つの値は、挿入すべき書類の辺（ポーチの開口に垂直な辺）のサイズに等しく、１つの値は僅かに小さい値である。シートのジグザグ形状をなす辺の縁部は、互いに固定されている。すなわち、２本の折曲げ線２３、２４間の距離はクレジットカードの幅に等しくかつポーチの深さに一致する。また、２本の折曲げ線２２および／または２４および２５間の距離はこの幅より僅かに、例えば約９ｍｍだけ小さい。次にシート２１は、図５に示すようにジグザグ形状に折曲げられ、次にシート２１のジグザグ形状の辺の縁部は互いに固定され、図６に示すような３つのポーチを形成する。明瞭化の目的で、これらの図面（図４−図６）には、５本の折曲げ線に沿って折畳まれた６つの部分からなるシートで形成された丁度３つのポーチが示されている。しかしながら、実際には、１つのフラップに多くの連続ポーチ（例えばクレジットカードサイズの書類用の１０個のポーチ）が設けられ、この場合には、各フラップの長さは約１４ｃｍである。
【００２２】
図６から得られるセットでは、審美的理由から、例えば皮革で作られた仕上げカバーを、全てのポーチの少なくとも一部に固定できる。有利なことは、第一ポーチをカバーする仕上げカバーの部分に窓２８をカットアウトし、このポーチ内に配置されるカードをより明瞭に表示できることである。この窓は、透明要素により閉じることができる。
本発明によれば、前記シートが折畳まれる前に（図４参照）、フレキシブル材料で作られたコード２０が、シート２１の両縁部に配置される。このフレキシブルコード２０は、両縁部が固定される位置に配置される。
【００２３】
このフレキシブルコード２０の存在により、カードがポーチ内に確実に保持され脱落できないようにして、ポーチ内に挿入されたカードの縁部を摘む効果が得られる。
有利なことは、図４および図５に示すように、二重折曲げ領域内でシート２１をカットアウトすることができることである。実質的に楕円形の凹み２６が、段状列の峰の領域内の折曲げ線２２、２４上に形成される。図６に示すように、ポーチを形成すべくシート２１の縁部が固定されるとき、取出すべきカードを容易に掴むことができるようにする凹部２７が形成される。また、仕上げカバーが設けられる場合には、この凹部２７は、ポーチを形成するシートを明らかにし、空のポーチを知らせる。
【００２４】
書類ケースが複数連のポーチからなる場合、これらの全てのポーチは、２連のポーチ間に非折曲げ部分（該部分は関節連結軸線に一致する）を設けることにより単一シート内に形成される。これは、次に、同方向に配向された連続する一連の段状列を形成する種々の連続するポーチを収容する内側連続シートを設ける。
縁部は、ステッチ、例えば図７に示すようなローリングポイントにより互いに有利に固定される。ステッチング糸は、距離Ｄに亘ってシートの側面上を通り、次に、距離Ｄより小さい距離ｄ（例えば距離Ｄの１／２）に亘ってシートの下を逆方向に通り、次に、距離Ｄに亘ってシートの上にもどされ、これと同じことを反復する。図６に示すようにフレキシブルコード２０が存在する場合には、ステッチングは、フレキシブルコード上でまたはポーチの外側でこのコードの縁部に沿って行われ、クラッシュを生じさせることなく有効ピンチングが得られるようにする。
【００２５】
図８−図１１には、３つのフラップを有するが、段状列は４連である書類入れの一実施形態が示されている。前述のように、連続する全ての段状列３１−３４は単一のシートを用いて作られるが、シートの非折曲げ部分３５−３７により分離されている。これらの非折曲げ部分はフラップの関節連結軸線の領域内に配置されかつ逆プリーツを形成している。理解されようが、連続する全ての段状列は同方向に配向されている。
【００２６】
図９および図１０に示すように、２連の段状列３３、３４を互いに折畳むことにより１つのフラップ３８が得られる。かくして３つのフラップ、すなわち内側面の同連の段状列からなる２つの第一フラップ３９、４１と、第三デバイダフラップ３８が得られ、この第三デバイダフラップ３８は、閉位置において他の２つのフラップの間に配置されかつその両面にポーチを有している。書類入れを閉じるには、第三デバイダフラップ３８を最初に第一フラップ３９上に折畳み、次に、得られたセットが第一フラップ４１上に折重ねられる。図１１には、本発明により、数連の段状列がフィットされること、および書類入れの全厚（全厚は、実質的に２連の段状列の厚さに等しい）が特に小さくなることが示されている。
【００２７】
逆プリーツ３５−３７の幅（図２も参照されたい）は、書類入れが折畳まれかつ閉じられたときに互いに加えられる書類の累積厚さに適合できる。より詳しくは、各フラップがｎ個のポーチを有する場合には、中間フラップ３８の連続段状列３３と３４との間に位置する逆プリーツ３７の幅は、実質的に書類の厚さ（すなわち中間フラップ３８の厚さ）のｎ倍に等しく、かつ連続段状列３１、３２からなる２つの第一フラップを分離する逆プリーツ３５の幅は、実質的に書類の厚さの２ｎ倍（すなわち閉位置での書類入れの全厚）に等しくなる。
【００２８】
図１２は、２つの区画室をもつ書類入れの横ポケットの概略縦断面図である。第一外側区画室５１は例えば身分証明書を受入れることを意図したものであり、第二区画室５２は銀行券を受入れることを意図したものであり、名刺を受入れることを意図した小さいポケット５３を備えている。
【００２９】
図１３には、関節連結軸線６４に対して平行なフラップの辺が書類の幅ｌ（エル）の２倍より実質的に大きくて、互いに並べて配置される１対のポーチ６２または６３を設けることを可能に書類入れフラップが示されている。ポーチ６２、６３の長さは、関節連結軸線６４に対して垂直である。この場合、最初に、書類の長さＬおよび可視部分の寸法ｅにより決定される最大数ｎ１個の「垂直」ポーチ６２、６３が段状列に配置される。関節連結軸線６４に垂直なフラップの寸法Ａは、Ａ＝Ｌ＋ｎ１として求められる。ここで、ｎ１は、垂直書類の対の数である。
【００３０】
ポーチ６２、６３の開口より下に配置されたフラップの自由部分６５には「水平」ポーチ６６が形成されており、その幅は書類の長さＬに等しい。水平ポーチの最大数ｎ２は、下記関係により決定される。すなわち、
Ａ＝ｌ＋（ｎ１＋ｎ２）、ここでｌ（エル）は、書類の幅である。
この実施形態は、ポーチの数を最適化できる。かくして、図１３に示す実施形態では、７つのポーチが設けられており、これらのポーチの開口は関節連結軸線６４の方向を向いている。これに対し、前の例示実施形態におけるように、全てのポーチが「水平」に配置される場合には、５つのみのポーチを設けられるに過ぎない。
【００３１】
図１４はインサートの正面図である。このインサートは、フラップ７１と、軸線７３に沿ってフラップに関節連結された舌７１とを有している。舌７１は、フラップ（８９）に形成されたポケット内に導入でき、かつインサートが、書類入れの２つのフラップの間に位置して関節連結できるように、その開口はフラップの関節連結軸線に平行である。また、このインサートは、別体として販売および使用でき、例えばシャツのポケット内で使用することもできる。
【００３２】
このインサートは、その少なくとも一方の面にポーチ７４を有し、インサートが別体として使用される場合に、閉位置において舌７２がこれらのポーチ７４上に折畳まれる。この舌７２は、インサートがポーチ内に配置されたときに摩擦から書類を保護する。より詳しくは、舌は、スマートカード、輸送書類およびメモリカードのように電子要素および／または磁気要素を備えた書類にダメージを与える静電気現象を防止する。
【００３３】
このインサートの第二面にはまた、静電気に対して鈍感な書類用のポーチが設けられている。また、幾つかの銀行券を受入れるための横ポケットを設けることもできる。かくして、一方の面に、最も使用されるクレジットカード用の一連の段状列ポーチを備え、かつ他方の面に、身分証明書用の１つ以上の大きいポーチおよび銀行券用の横ポーチを備えたインサートを作ることができる。この形式のインサートは別体として使用され、所有者が彼の重要な書類と一緒に持運ぶこと、および頻繁に使用せずかつ重要でない書類を収容する２つ以上のフラップを備えた書類入れ内に挿入することを可能にする。
【００３４】
図１５および図１６には、本発明による書類入れの２つの例示実施形態が折畳まれていない位置にあるところが示されている。図１５は、４つのフラップ８１−８４を備えた書類入れに関し、各フラップは６つの一連の「水平」ポーチを有し、その寸法は１１．５ｃｍ×９．５ｃｍでありかつ横ポーチ８５を有している。外側フラップ８１または８４と中央フラップ８２または８３との間の外側逆プリーツ８６、８７は約６ｍｍ、すなわち書類の厚さの約６倍であり、かつ２つの中央フラップ８２と８３との間の内側逆プリーツは、中央フラップ上に折畳まれる外側フラップの厚さの等しい２倍の値を有している。したがって、クレジットカードサイズの書類を受入れることができる書類入れが得られ、該書類入れは、折畳まれない状態でほぼ１１．５ｃｍ×４８．７ｃｍの長さを有しかつその寸法は約１５ｍｍの厚さをもち、ほぼ１１．５ｃｍ×９．５ｃｍである。したがって、シャツのポケットまたはスーツのジャケットの外側ポケットに容易に入れることができ、その寸法は、約１５ｃｍ×１０ｃｍである。
【００３５】
図２０には４つのフラップを備えた書類入れが示されており、各フラップは、図１５のフラップと同サイズであるが横方向に配置されている。この書類入れは、女性の手により適した使用を可能にし、容量は１５％だけ小さくなっている。フラップの自由スペース内では、窓ポーチ２０１が、段状列をなすポーチ内には収容できない幅広の名刺、写真、切手または地下鉄切符、クレジットカード領収書等の書類を受入れることを可能にしている。これらの窓ポーチの開口は、段状列のポーチの開口と同じ側から配向されている。したがって、書類入れが閉位置にあるときは、これらの種々のポーチ内に収容された書類は落下することができない。
【００３６】
図１６に示す書類入れは、１つのフラップにつき７枚までのカードを収容できる。この書類入れは、図１３に示した形式の４つのフラップを有し、かつ各フラップは４つの垂直ポーチおよび３つの水平ポーチを有し、これらの寸法は１０．５ｃｍ×１２ｃｍである。外側および内側の逆プリーツはそれぞれ５ｍｍおよび１０ｍｍの幅を有し、この幅は、７つのポーチを備えたフラップの厚さに適合できる。折畳まれない状態で、この書類入れは４４ｃｍの長さを有し、閉位置では、その寸法はほぼ１０．５ｃｍ×１２ｃｍであり、約１８ｍｍの最大厚さを有している。その容量は、２８枚のクレジットカードサイズの書類を入れられる大きさである。
【００３７】
図１７には、書類入れの一辺、すなわち関節連結軸線９３に垂直な辺でフラップ９２に関節連結されたタブ９１の一例示実施形態が示されている。このタブはその各面にポーチを設けることができ、ポーチは、フラップ９２上に折畳んだ位置においてポーチをカバーするようにフラップ９２のポーチ内に配置される書類の縁部からなる段状列の畝の領域内に配置されている。
【００３８】
図１８は、２つのフラップを有する書類入れを示し、各フラップは６つの水平ポーチを備えている。各フラップは閉位置にあるタブ９４または９５を有し、タブの幅はフラップの長さより僅かに小さい。書類入れが折畳まれるとき、両タブ９４、９５は、オーバーラップすることなく横に並ぶように配置される。これにより、書類入れの容量が４つの書類分だけ増大する一方、厚さは書類の厚さの２倍だけ増大するに過ぎず、逆プリーツ９６は６ｍｍではなく８ｍｍの幅を有している。したがって、２つのフラップを有するこの書類入れは、小さい容積内に１６枚の書類を収容できる。仕上げカバーが設けられるならば、タブ９４、９５はポーチの段状列を覆い、書類入れの美的外観を向上させる。
【００３９】
図１９は、頭−尾方向に配置された２つのポケット１０２、１０３を有するフラップ１０１の縦断面図である。この場合も、ダブルポケットは、ジグザグ形態に折畳まれた１枚のシートからなり、該シートの縁部は互いに固定されている。得られるポケットは、大きい書類または図１４に示したようなインサートの舌１０５を受入れることができる。
書類ケースは、シート（２１）の側縁部を、図７に示すローリングポイントでステッチにより互いにジグザグ形態に固定することにより作られる。
【００４０】
図２１には、ストリップ２１３をジグザグ形態に折畳むことにより作られる、舌２１０を備えたインサートが示されている。このインサートは、段状列の開口内でインサートの両面に交互に配置されかつ書類入れのポーチ内に導入されることを意図した矩形舌２１０に関節連結された連続ポーチ２１１、２１２が得られるように作られる。この例では、内側面および外側面のポーチ２１１、２１２が反対方向に配向されていることに留意すべきである。或いは、ストリップ２１３の連続する２つの折曲げ部の間の距離は、ポーチの開口に垂直な、挿入すべき書類の幅に等しい値および書類を取出すための下の値を有している。有利なことは、書類入れに、同じ挿入方向に配向された段状列を備えたフラップを設けることができ、したがって、インサートを完全に挿入でき、例えば書類入れの容量、インサートの各面と同数の段状列を備えたフラップを倍化できることである。
【００４１】
図２２ａ、図２２ｂ、図２２ｃ、図２２ｄには、異なる幅の２つの逆プリーツ２２２、２２３により互いに連結された３つのフラップを備えた書類入れを折畳むモードが示されている。折畳まれていない状態の書類入れを示す図２２ａから理解されようが、各フラップは、その左側部分に、一連の５つのポーチを有している。各フラップの５つのポーチは、辺から見て、直角三角形内に存在する（図２２ｂ）。書類入れは、左側から最も遠いフラップを、２つの三角形の斜辺が重畳されるようにして、中央フラップ上に折り重ねることにより折畳まれる。次に、右側から最も遠いフラップが、他の２つのフラップからなるスタック上に折り重ねられる。かくして、折畳まれた位置では、書類入れは薄い厚さを有する。また、この解決法により、書類入れがひとたび折畳まれると、カードが落下しないことが確保される。逆プリーツ２２２、２２３は都合の良いサイズであり、逆プリーツ２２３は逆プリーツ２２２より大きい。
【００４２】
図２３には、逆プリーツにより互いに連結された２つのフラップを備えた書類入れが示されている。各フラップは、同じ側から開口しておりかつフラップの幅より実質的に小さい幅を持っている一連のポーチが配置されている長手方向のメインゾーンと、該メインゾーンの下に位置する横ポケット２３１が開口している領域内の横ゾーンとを有している。ポーチの開口は逆プリーツに平行に延びており、一方、２つのポケット２３１の開口は前記プリーツに対して垂直に延びている。
２つのポケットはポーチより大きく、したがって、例えば国民身分証明書、運転免許証、選挙または健康保険証、自動車保険証のような、横方向ゾーンを越えて延びる大きい書類を受入れることができる。
【００４３】
図２４ａおよび図２４ｂには、逆プリーツにより互いに連結されかつ段状列として配置された一連のポーチを備えている２つのインサートが設けられた２つのフラップを有する書類入れが示されている。これらのインサートのポーチは、関連する書類入れのフラップのポーチと同じ側から開口している。この目的から、書類入れの各フラップは、ポーチの段状列の下に、ポケット２３２を有し、該ポケット２３２の開口は、逆プリーツから遠いフラップの縁部に沿って逆プリーツに平行に延びており、かつポケット内で対応インサートが係合している。
【００４４】
これらの構成により、書類入れの折畳み位置で、インサートおよび隣接フラップの一連のポーチが、一方の内部で他方に嵌合する。これにより、書類入れまたは書類ケースの厚さが小さくなり、かつこれらの書類入れまたは書類ケースの容量が増大される。また、これにより、書類入れが折畳まれた状態での最適貯蔵安全性が確保され、フラップおよびインサートのポーチの開口は、書類入れの内部に折り重ねられ、これらのポーチの内容物が落下することが防止される。
【００４５】
この例では、各インサートの内側面には一連の段状列が設けられているのに対し、これらの各インサートの外側面には透明窓ポーチ２４８、２４９が設けられており、透明ポーチの開口は同じ側から配向されている（図２４ｂ）。
これらの窓ポーチの容量を最大化しかつ窓ポーチ内に収容された書類または目的物が窓ポーチから落下するのを防止するため、図２４ｃの例では、各窓ポーチには窓ポーチを完全に閉じることができるジップファスナ（２４６、２４７）が設けられておりかつ窓ポーチの容量を増大させるガセット（まち）（２３３）が設けられている。
【００４６】
ジップファスナが設けられたインサートの外側面のこれらの窓ポーチは、これらがひとたび閉じられると２つの閉ゾーンを形成する。これらの閉ゾーンは、例えば種々の国の通貨のコインのように書類入れの内側段状列のポーチ内に入れることができない物品を入れることができ、これによりこれらの物品を容易に掴むことが可能になり、窓が透明であることによって物品の識別が容易になる。折畳みの最終段階では、２つのフラップ（これらの上に２つのインサートが折畳まれる）が互いに折畳まれ、インサートの外側面の窓ポーチのジップファスナは、フラップ２４４、２４５の自由スペースに過度の厚さを生じさせることなく嵌合する（図２４ｄ）。
【００４７】
図２４ｄは、ガセット（２３３）を備えた窓ポーチを示す側面図である。窓ポーチが直角三角形であることにより、書類入れの２つのフラップの折畳み時に、形状組合せ態様（shape-mating manner）で２つのポーチが完全に嵌合される。
【００４８】
図２５には、図１６の書類入れと同サイズを有しかつ逆プリーツ（２５２）により連結された３つのフラップを備えた書類入れが示されている。この書類入れでは、幾つかのポーチがロイヤルティミニカードまたはチケットを受入れることができる。ロイヤルティミニカードは、クレジットカードサイズのロイヤルティカードの長さＬの１／３に等しい長さＬ１と、幅ｌ（エル）とを有する。
【００４９】
図２５は、書類の幅ｌの２倍より実質的に大きい幅Ｂをもつ書類入れを示す。まず第一に、各フラップ上および段状列内に、最大数ｎ１の数対の垂直ポーチ（２５６、２５７）が互いに並んで配置される。最大数ｎ１は、書類の長さＬおよび可視部分の寸法ｅにより決定される。フラップの関節連結軸線に垂直なフラップの寸法Ａは、実質的に、
Ａ＝Ｌ＋ｎ１・ｅ
に等しい。
【００５０】
書類入れの幅Ｂも書類の長さＬの４／３より実質的に大きいので、フラップ（２５８）の自由スペース内には水平ポーチの２つの段状列が設けられる。１つの段状列は書類の長さＬに等しい幅を有し、他の段状列は書類の幅Ｌ／３である。各段状列のポーチの最大数は、Ａ＝ｌ＋（ｎ１＋ｎ２）ｅの関係により決定される。ここで、ｌ（エル）は書類の幅である。これにより、ポーチの数を最適化できる。すなわち、図２５の例では、クレジットカード用のポーチの数は３つのフラップ（２５３、２５９）については同一であるが、左側から最も離れた２つのフラップについては、更に３つのポーチをロイヤルティミニカード（２５０、２５１）用として受入れることが可能である。すなわち、最終フラップ（右側から最も遠いフラップ）については、７個ではなく１０個のポーチである。
【００５１】
図２５ａには開位置にある書類入れが示されており、この書類入れは、右側から最も遠い端フラップに、左側から最も遠い２つのフラップのポーチ内に収容できない書類を収容できる貯蔵ゾーンを有している。前記書類は種々のサイズのものが可能である。この貯蔵ゾーンは、これらの４つの辺のうちの２つの辺（一方の辺はフラップの関節連結軸線に平行な辺、他方の辺は関節連結軸線に垂直な辺であって、矩形タブ（２６１）が固定された辺）が開口している１組の重畳ポーチ（２６３）を有している。これらの２つの辺の寸法は、フラップの辺にほぼ等しくかつ逆プリーツ（２６０）により前記フラップに連結されている。矩形タブは、その各面に窓ポーチ（２６２）を有し、窓ポーチの開口は逆プリーツ（２５２）の方向を向いている。これらの重畳ポーチは非常に小さく、上に位置するポーチの幅および長さは、下に位置するポーチのそれぞれ幅（２６５）および長さ（２６６）より実質的に小さい。このため、下からポーチ内に入れられた書類は充分に目立つため、これを識別しかつ掴むことができる。
【００５２】
図２５ｂには同じ形式の書類入れが示されている。種々のサイズの書類を貯蔵するための書類入れのゾーンは同様に１対のポーチを有している。これらのポーチは、図２５の書類入れと同じ原理に従って重畳されているが、異なる形状を有し、カットオフセクションを有している。ポーチ内に入れられる各書類の覆われる部分は小さくなる。したがって、これにより、各ポーチ（２６３）内への書類の挿入および各ポーチからの書類の取出しが容易になる。カットオフセクションを備えたこの形状は、図２５ａの貯蔵ゾーンの矩形ポーチに該ポーチの対角線に平行なカットオフを形成することにより得られる。カットオフセクションを備えたポーチは、切除する前の矩形ポーチの１／２より僅かに大きい表面積を有している。対角線と、平行線（該平行線に沿ってポーチが切除される）との間の距離は、連続しかつ重畳された２つのポーチの幅（２６５）と長さ（２６６）との差に実質的に等しい。
このように保護されて貯蔵ゾーン内に入れられた書類は、平らに貯蔵されるため、書類上に折畳まれたタブ（２６１）および閉位置で平らな状態を維持する書類入れの厚さを最小にできかつ書類が書類入れから落下することを防止する。
【００５３】
本発明は、使用者の要望に適合する全範囲の書類入れの製造を可能にする。ポーチの寸法は、クレジットカード（５．４×８．５ｃｍ）、名刺（７．５×１２．５ｃｍ）、ロイヤルティミニカード（５．４×２．８３ｃｍ）、運転免許証（７．５×１１ｃｍ）、身分証明書（７．２×１０．３ｃｍ）等の新サイズの公文書のようなあらゆる形式の書類サイズに適合できる。また、メモリカード、カメラまたは電話機用のフラットバッテリ、例えば地下鉄または有料道路の料金徴収所用の永久交通文書等の要素のポーチを提供することもできる。
インサートの使用により、所有者が最も重要であると思う書類のみを持運ぶことを可能にする。インサートは、静電気に敏感な書類の一方の面に一連の段状列を有しかつ他方の面に複数のポケットを有している。
【００５４】
以上、本発明を、個人用書類を受入れることを意図した書類入れの例につき詳細に説明したが、本発明はあらゆる書類ケースにも適用できることは明白である。より詳しくは、互いに嵌合する数連の段状列を形成する数連のポーチを備えた２つのフラップを有するブリーフケースまたは肩かばんを考えることもできる。この形式のブリーフケースは例えば、代理人の顧客ファイルまたは配達人の物品のサンプルを収容でき、これらのファイルまたは例えばカーペットまたは壁紙等のサンプルは、困難なく容易に入れかつ取出すことができる。
【符号の説明】
【００５５】
１、２  フラップ
３  関節連結軸線
４  ポーチ（小袋）
５  ポーチの深さ
６  カードの幅
１１、１２  段状列
１４、１５  区画室
１７  シート
２７  凹部
２８  窓
【図１．ａ】
2010506761.tif 000003
【図１．ｂ】
2010506761.tif 000004
【図１．ｃ】
2010506761.tif 000005
【図１．ｄ】
2010506761.tif 000006
2010506761.tif 000007
【図１．ｅ】
2010506761.tif 000008
【図１．ｆ】
2010506761.tif 000009
【図１．ｇ】
2010506761.tif 000010
【図２】
2010506761.tif 000011
【図３】
2010506761.tif 000012
【図４】
2010506761.tif 000013
【図５】
2010506761.tif 000014
【図６】
2010506761.tif 000015
【図７】
2010506761.tif 000016
【図８−１１】
2010506761.tif 000017
【図１２】
2010506761.tif 000018
【図１３】
2010506761.tif 000019
【図１４】
2010506761.tif 000020
【図１５】
2010506761.tif 000021
【図１６】
2010506761.tif 000022
【図１７】
2010506761.tif 000023
【図１８】
2010506761.tif 000024
【図１９】
2010506761.tif 000025
【図２０】
2010506761.tif 000026
【図２１】
2010506761.tif 000027
【図２２ａ−２２ｄ】
2010506761.tif 000028
【図２３】
2010506761.tif 000029
【図２４ａ】
2010506761.tif 000030
【図２４ｂ】
2010506761.tif 000031
【図２４ｃ】
2010506761.tif 000032
【図２４ｄ】
2010506761.tif 000033
【図２５】
2010506761.tif 000034
【図２５ａ】
2010506761.tif 000035
【図２５ｂ】
2010506761.tif 000036
【図２５ｃ】
2010506761.tif 000037
【国際調査報告】
2010506761.tif 000038
2010506761.tif 000039
2010506761.tif 000040
2010506761.tif 000041